【手続補正書】
【提出日】平成15年12月11日(2003.12.11)
【手続補正１】
【補正対象書類名】特許請求の範囲
【補正対象項目名】全文
【補正方法】変更
【補正の内容】
【特許請求の範囲】
【請求項１】
セルラー電話システムのあるセルのためにチャネル番号を物理的周波数に動的にマッピングする方法であって、チャネル番号によって物理的周波数を表すセルラー電話システムに用いられ、チャネル番号を物理的周波数に固定マッピングする方法において、前記セルラー電話システムが複数の公衆陸上移動体ネットワークからなり、各ネットワークがセルラー電話システムの異なるセルのセットの包括範囲を提供し、動的マッピングが特定公衆陸上移動体ネットワークによって使用され、またすべてのセルに対しセルラー通信が特定公衆陸上移動体ネットワークによって提供され、当該方法が、
ａ）一連の物理的周波数を選択する工程と、
ｂ）選択された物理的周波数に１つずつ対応するのに充分な数の一連のチャネル番号をチャネル番号から選択する工程と、
ｃ）選択された物理的周波数を選択された一連のチャネル番号のセットへ動的マッピングすることを決定する工程と、
ｄ）公衆陸上移動体ネットワークのセル内の移動体電話に動的マッピングを指示する情報要素を提供する工程であって、情報要素が、動的マッピングの最初と最後のチャネル番号と動的マッピングの最初と最後の物理的周波数とを決定するのに充分な情報を含んでいる工程とを含んでおり、
動的マッピングを指示する情報要素を提供する工程が、既存のチャネル番号付けスペースと矛盾しない方法で、かつ既存の信号通信メッセージを変化させないように実行され、
公衆陸上移動体ネットワークによって使用される動的マッピングの変化を提供するように、二重マッピングが公衆陸上移動体ネットワークによって放送され、該チャネル番号の二つの非重畳セットがマップされ、公衆陸上移動体ネットワークのセル内で移動体電話操作が二重マッピングをデコードするのに充分な長さとなると想定される所定時間期間で放送が続行される方法。
【請求項２】
前記チャネル番号がたかだか１０ビットで指示された数を使用して表わされる請求項１記載の方法。
【請求項３】
前記セルラー電話システムが、未使用チャネル番号と未使用物理的周波数を有する請求項１記載の方法。
【請求項４】
前記一連の物理的周波数を選択する工程で、物理的周波数が公衆陸上移動体ネットワークによって使用されていないが、公衆陸上移動体ネットワークによって使用することが可能である物理的周波数から選択される請求項３記載の方法。
【請求項５】
前記チャネル番号を選択する工程において、チャネル番号が公衆陸上移動体ネットワークによって使用されていないが、公衆陸上移動体ネットワークによって使用することが可能であるチャネル番号から選択される請求項４記載の方法。
【請求項６】
前記動的マッピングが公衆陸上移動体ネットワークに特有であり、動的マッピングが公衆陸上移動体ネットワークによって実際に使用される周波数のみのためのチャネル番号を提供する請求項５記載の方法。
【請求項７】
前記チャネル番号の非重畳セットの一方が動的マッピングの変化前の割当てを記述し、前記チャネル番号の非重畳セットの他方が動的マッピングの変化後の割当てを記述する請求項１記載の方法。
【請求項８】
前記チャネル番号の非重畳セットが、少なくとも一部が同じ周波数ブロックに両者ともマップされる請求項１記載の方法。
【請求項９】
前記情報要素が、マップされるべき第１チャネル番号を指示する第１値と、第１値によって指示されたチャネル番号に加えて、マップされるチャネル番号の数を指示する範囲値と、第１チャネル番号がマップされる物理的周波数を指示する第１周波数値とを有する請求項１記載の方法。
【請求項１０】
前記二重マッピングを放送する代わりに、公衆陸上移動体ネットワークが、二重マッピングを、２点間送信を介して当該公衆陸上移動体ネットワークを用いる移動体電話へ搬送する請求項１記載の方法。 
【請求項１１】
セルラー電話システムのあるセルのためにチャネル番号を物理的周波数に動的にマッピングする装置であって、チャネル番号によって物理的周波数を表すセルラー電話システムに用いられ、チャネル数を物理的周波数に固定マッピングする装置であって、前記セルラー電話システムが複数の公衆陸上移動体ネットワークからなり、各ネットワークがセルラー電話システムの異なるセルのセットの包括範囲を提供し、動的マッピングが特定公衆陸上移動体ネットワークによって使用され、またセルラー通信が特定公衆陸上移動体ネットワークによって提供され、当該装置が、
ａ）一連の物理的周波数を選択する手段と、
ｂ）選択された物理的周波数に１つずつ対応するのに充分な数の一連のチャネル番号のセットをチャネル番号から選択する手段と、
ｃ）選択された物理的周波数を選択された一連のチャネル番号のセットへ動的マッピングすることを決定する手段と、
ｄ）公衆陸上移動体ネットワークに、当該公衆陸上移動体ネットワークのセル内の移動体電話に動的マッピングを指示する情報要素を提供させる手段であって、情報要素が動的マッピングの最初と最後のチャネル番号と動的マッピングの最初と最後の物理的周波数とを決定するのに充分な情報を含んでいる手段とを含んでおり、
動的マッピングを指示する情報要素が、既存のチャネル番号付けスペースと矛盾しない方法で、かつ既存の信号通信メッセージを変化させないようにする方法で提供され、
さらに、公衆陸上移動体ネットワークによって使用される動的マッピングの変化を提供するように、公衆陸上移動体ネットワークに二重マッピングを放送させ、該チャネル番号の二つの非重畳セットがマップされ、公衆陸上移動体ネットワークのセル内で移動体電話操作が二重マッピングをデコードするのに充分な長さとなると想定される所定時間期間で放送が続行される手段を含む装置。
【請求項１２】
前記チャネル番号がたかだか１０ビットで指示された数を使用して表わされる請求項１１記載の装置。
【請求項１３】
前記セルラー電話システムが、未使用チャネル番号と未使用物理的周波数を有する請求項１１記載の装置。
【請求項１４】
前記選択された物理的周波数が、公衆陸上移動体ネットワークによって使用されていないが、公衆陸上移動体ネットワークによって使用することが可能である物理的周波数から選択される請求項１３記載の装置。
【請求項１５】
前記選択されたチャネル番号が、公衆陸上移動体ネットワークによって使用されていないが、公衆陸上移動体ネットワークによって使用することが可能であるチャネル番号から選択される請求項１４記載の装置。
【請求項１６】
前記動的マッピングが公衆陸上移動体ネットワークに特有であり、動的マッピングが公衆陸上移動体ネットワークによって実際に使用される周波数のみのためのチャネル番号を提供することになる請求項１５記載の装置。
【請求項１７】
１つのチャネル番号の前記非重畳セットが動的マッピングの変化前の割当てを記述し、他のチャネル番号の前記非重畳セットが動的マッピングの変化後の割当てを記述する請求項１１記載の装置。
【請求項１８】
チャネル番号の前記非重畳セットが少なくとも一部が同じ周波数ブロックに両者ともマップされる請求項１１記載の装置。
【請求項１９】
前記情報要素が、マップされるべき第１チャネル番号を指示する第１値と、第１値によって指示されたチャネル番号に加えて、マップされるチャネル番号の数を指示する範囲値と、第１チャネル番号がマップされる物理的周波数を指示する第１周波数値とを有する請求項１１記載の装置。
【請求項２０】
前記二重マッピングを放送する代わりに、前記装置が、公衆陸上移動体ネットワークのために、二重マッピングを、２点間送信を介して当該公衆陸上移動体ネットワークを用いる移動体電話へ搬送する請求項１１記載の装置。